(57)【要約】      （修正有）【課題】コストを低減すると共にマグネット矢を確実に吸着し得るマグネット吹矢用標的を提供する。【解決手段】マグネット吹矢で使用可能に構成され、板状の本体部１１と、本体部に取り付けられる標的用図柄Ｇが記載された標的シート１２とを備え、本体部には、磁性体で形成された板体１３が表面に配設されると共に、標的シートを着脱可能に保持するクリップ１４が設けられている。標的シートは、非磁性体で形成されマグネットシートで形成された標的シートと比較して作製コストを低減できる。この構成により、また標的シート自体が磁界を発生しないため、矢の磁石との反発力によって矢の脱落を防止できる。【選択図】図１
0003232235.tif 000002
【実用新案登録請求の範囲】
【請求項１】
マグネット吹矢で使用するマグネット吹矢用標的であって、
板状の本体部と、前記本体部に取り付けられる標的用図柄が記載された標的シートとを備え、
前記本体部には、磁性体で形成された板体が表面に配設されると共に、前記標的シートを着脱可能に保持する保持部が設けられ、
前記標的シートは、非磁性体で形成されているマグネット吹矢用標的。
【請求項２】
前記保持部はクリップで形成されている請求項１記載のマグネット吹矢用標的。
【考案の詳細な説明】
【技術分野】
【０００１】
本考案は、マグネット吹矢で使用するマグネット吹矢用標的に関するものである。
【背景技術】
【０００２】
スポーツ吹矢の一種として、マグネット吹矢が知られている。このマグネット吹矢は、下記特許文献２に開示されているように、本体の先端部に先端面が平らな磁石が固定されたマグネット矢と、鉄板で形成されてマグネット矢の先端部（磁石）が吸着するように構成されたマグネット吹矢用標的とを用いて行われる。この場合、この種のマグネット吹矢用標的では、競技内容に応じて標的の図柄を変更する必要があるため、競技内容に応じた異なる図柄が印刷されたマグネットシートを数種類用意しておき、競技内容に応じてマグネットシートを鉄板に張り替えて使用している。
【先行技術文献】
【特許文献】
【０００３】
【特許文献２】実用新案登録第３１２７８０９号公報
【考案の概要】
【考案が解決しようとする課題】
【０００４】
ところが、マグネット吹矢で使用する従来のマグネット吹矢用標的には、改善すべき以下の課題がある。具体的には、従来のマグネット吹矢用標的では、競技内容に応じて図柄が異なる数種類のマグネットシートを用意する必要があるが、マグネットシートが比較的高価であることから、低コスト化が困難であるという課題が存在する。また、マグネットシートは、それ自体が磁界を発生するため、場所によってはマグネット矢の磁石との間で反発力が生じ、これによってマグネット矢が吸着しない恐れがあるという課題も存在する。
【０００５】
本考案は、かかる課題を解決すべくなされたものであり、コストを低減すると共にマグネット矢を確実に吸着し得るマグネット吹矢用標的を提供することを目的とする。
【課題を解決するための手段】
【０００６】
上記課題を解決すべく、請求項１記載のマグネット吹矢用標的は、マグネット吹矢で使用するマグネット吹矢用標的であって、板状の本体部と、前記本体部に取り付けられる標的用図柄が記載された標的シートとを備え、前記本体部には、磁性体で形成された板体が表面に配設されると共に、前記標的シートを着脱可能に保持する保持部が設けられ、前記標的シートは、非磁性体で形成されている。
【０００７】
また、請求項２記載のマグネット吹矢用標的は、請求項１記載のマグネット吹矢用標的において、前記保持部はクリップで形成されている。
【考案の効果】
【０００８】
本考案に係るマグネット吹矢用標的によれば、板状の本体部と、本体部に取り付けられる標的用図柄が記載された標的シートとを備え、磁性体で形成された板体を本体部の表面に配設すると共に、非磁性体で形成された標的シートを着脱可能に保持する保持部を本体部に設けたことにより、マグネットシートで形成された標的シートを用いる構成と比較して、標的シートひいてはマグネット吹矢用標的の作製コストを十分に低減することができる。また、非磁性体で形成された標的シートを用いるため、マグネットシートで形成された標的シートを用いる構成とは異なり、標的シート自体が磁界を発生して、マグネット矢の磁石と標的シートとの間の反発力によってマグネット矢が脱落する（吸着しない）事態を確実に防止することができる。
【０００９】
また、本考案に係るマグネット吹矢用標的によれば、保持部をクリップで形成したことにより、標的シート１２の交換を容易に行うことができる。
【図面の簡単な説明】
【００１０】
【図１】マグネット吹矢用標的１構成を示す構成図である。
【図２】マグネット吹矢２の断面図である。
【図３】マグネット吹矢用標的１の使用方を説明する説明図である。
【考案を実施するための形態】
【００１１】
以下、本考案に係るマグネット吹矢用標的の実施の形態について、図面を参照して説明する。
【００１２】
本考案に係るマグネット吹矢用標的の一実施例としてのマグネット吹矢用標的１を図１に示す。マグネット吹矢用標的１は、マグネット矢２（図２参照）を用いて行うマグネット吹矢用の標的として使用される。ここで、マグネット矢２は、図２に示すように、円錐状の矢羽根２１と、矢羽根２１の先端部２１ａに取り付けられた磁石２２とを備えて構成され、磁力でマグネット吹矢用標的１に吸着するように構成されている。
【００１３】
一方、マグネット吹矢用標的１は、図１に示すように、本体部１１、標的シート１２、板体１３およびクリップ１４を備えて構成されている。
【００１４】
本体部１１は、木材や樹脂等によって板状に形成されている。
【００１５】
標的シート１２は、非磁性体（一例として、紙や樹脂）によってシート状に形成され、クリップ１４を用いて本体部１１に取り付けられる。また、図１に示すように、標的シート１２の表面には、マグネット吹矢における得点等を示す標的用図柄Ｇが記載されている。
【００１６】
板体１３は、磁性体（一例として、鉄）によって板状に形成され、本体部１１の表面に配設されている。
【００１７】
クリップ１４は、保持部の一例であって、本体部１１の上端部に配設され、標的シート１２を着脱可能に本体部１１に保持する機能を有している。
【００１８】
次に、マグネット吹矢用標的１の使用方法を説明する。まず、本体部１１の板体１３を覆うように標的シート１２を配置する。次いで、クリップ１４を用いて標的シート１２を本体部１１に保持する。続いて、この状態のマグネット吹矢用標的１を所定の位置にセットする。このマグネット吹矢用標的１を使用したマグネット吹矢では、図３に示すように、発射したマグネット矢２の先端部２１ａが標的シート１２に当たったときに、先端部２１ａに取り付けられる磁石２２と標的シート１２の裏側に配置されている板体１３との間の磁力によってマグネット矢２がマグネット吹矢用標的１に吸着する。
【００１９】
この場合、このマグネット吹矢用標的１では、標的シート１２が非磁性体で形成されている。このため、マグネットシートで形成された標的シート１２を用いる構成とは異なり、標的シート１２自体が磁界を発生して、マグネット矢２の磁石２２と標的シート１２との間の反発力によってマグネット矢２が脱落する（吸着しない）事態を確実に防止することができる。
【００２０】
一方、競技内容よって交換する場合には、クリップ１４を操作して保持されている標的シート１２を本体部１１から取り外し、他の標的シート１２を本体部１１に保持する。この場合、このマグネット吹矢用標的１では、標的シート１２が紙等の非磁性体で形成されている。このため、このマグネット吹矢用標的１では、マグネットシートで形成された標的シート１を用いる構成と比較して、標的シート１２ひいてはマグネット吹矢用標的１の作製コストを十分に低減することができる。
【００２１】
また、このマグネット吹矢用標的１では、保持部としてのクリップ１４で標的シート１２を本体部１１に保持させる構成のため、容易に標的シート１２の交換を容易に行うことができる。
【００２２】
なお、上記した適宜変更した構成を採用することができる。例えば、保持部としてクリップ１４を備えた例について上記したが、他の構成を採用することもできる。具体的には。コルク材等で本体部１１を形成し、保持部としての画鋲（ピン）で標的シート１２を本体部１１に保持させる構成を採用することもできる。
【符号の説明】
【００２３】
１  マグネット吹矢用標的
２  マグネット矢
１１  本体部
１２  標的シート
１３  板体
１４  クリップ
Ｇ  標的用図柄
【図１】
0003232235.tif 000003
【図２】
0003232235.tif 000004
【図３】
0003232235.tif 000005